(57)【要約】      （修正有）【課題】顧客が毎日アクセスするシステムを提供する。【解決手段】ネットワーク２を介して、サーバー装置２７とユーザーの端末装置３０が接続され、サーバー装置２７内のポイント管理情報記憶部２８にて、ポイントが付与された日時・ポイント残高等が記録され、ユーザーのポイント管理が行われる。ユーザーが、ネットワーク２を介して、サーバー装置２７にログインすると、最後に付与されたポイントの付与された日時から２４時間以内（若しくは付与された日と同日）でなければ、新たにポイントを付与する。また、サーバー装置２７内のポイント管理情報記憶部２８に記録されている付与ポイントが付与された日時を参照して、付与されたポイントの付与された日時から２４時間を経過している（若しくは付与された日を経過している）場合には、該当する付与ポイントを失効させる。【選択図】図３
2017126103.tif 000002
【特許請求の範囲】
【請求項１】
ユーザーが操作する端末装置に通信回線網を介して接続され、かつ、２４時間（若しくは同日）限り有効のポイントを付与するためのシステムを提供するサーバー装置であって、
前記ポイント及びそれに関連する情報を記憶するポイント管理情報記憶部
及び前記ポイント管理情報記憶部にアクセスし、前記ポイントに関する演算を実行し、かつ、演算後のポイント情報を
前記端末装置に表示させる制御部と、
を備えており、
前記ポイント管理情報記憶部は、ポイントが付与された日時・ポイント残高等の記録情報を有しており、
前記制御部は、ポイント管理情報記憶部に記録されたポイントが、最後に付与されたポイントの付与された日時から２４時間以内（若しくは付与された日と同日）でなければ、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示されるように管理する手段を提供するか、
又は、ユーザーが接続する毎に、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示されるように管理する手段を提供する、
サーバー装置及びその制御方法。
【請求項２】
ユーザーが操作する端末装置に通信回線網を介して接続され、かつ、２４時間（若しくは同日）限り有効のポイント及びそれに関連する情報を記憶するポイント管理情報記憶部に、
前記ポイント管理情報記憶部に、ポイントが付与された日時情報、ポイント数等を記憶させるステップと、
前記ポイント管理情報記憶部に記録されたポイントが、最後に付与されたポイントの付与された日時から２４時間以内（若しくは付与された日と同日）でなければ、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示させるステップか、
又は、ユーザーが接続する毎に、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示させるステップ、
を実行させるためのプログラム。
【請求項３】
ユーザーが操作する端末装置、及び、当該端末装置に通信回線網を介して接続され、かつ、２４時間（若しくは同日）限り有効のポイントシステムを提供するサーバー装置であって、
前記ポイント及びそれに関連する情報を記憶するポイント管理情報記憶部と、
前記情報にアクセスし、前記ポイントに関する演算を実行し、かつ、前記ポイントの画像を
前記端末装置に表示させる制御部と、
を備えており、
前記ポイント管理情報記憶部は、ポイントが付与された日時・ポイント残高等の記録情報を有しており、
前記制御部は、前記ポイント管理情報記憶部に記録されたポイントが、最後に付与されたポイントの付与された日時から２４時間以内（若しくは付与された日と同日）でなければ、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示されるように管理されているか、
又は、ユーザーが接続する毎に、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示されるように管理されている
ポイント管理システム。
【請求項４】
２４時間（若しくは同日）限り有効のポイントを提供する端末装置であって、
通信回線網を介して接続された、前記ポイント及びそれに関連する情報を記憶するポイント管理情報記憶を有するサーバー装置との連携手段と
前記情報にアクセスし、前記ポイントに関する演算を実行し、かつ、前記ポイント残高を
前記端末装置に表示させる制御部
を備えており、
前記ポイント管理情報記憶部は、ポイントが付与された日時・ポイント残高等の記録情報を有しており、
前記制御部が、前記ポイント管理情報記憶部に記録されたポイントが、最後に付与されたポイントの付与された日時から２４時間以内（若しくは付与された日と同日）でなければ、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示するように管理されているか、
又は、ユーザーが接続する毎に、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示するように管理されている、
端末装置及びの制御方法。
【請求項５】
２４時間（若しくは同日）限り有効のポイントを提供する端末装置と、
通信回線網を介して接続された、前記ポイント及びそれに関連する情報を記憶するポイント管理情報記憶を有するサーバー装置との連携するステップと、
前記ポイント管理情報記憶部に記録されたポイントが、最後に付与されたポイントの付与された日時から２４時間以内（若しくは付与された日と同日）でなければ、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置に表示させるステップと、
又は、ユーザーが接続する毎に、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示させるステップと
を実行させるためのプログラム。
【請求項６】
２４時間（若しくは同日）限り有効のポイントを提供する端末装置であって、
通信回線網を介して接続された、前記ポイント及びそれに関連する情報を記憶するポイント管理情報記憶を有するサーバー装置との連携手段と、
前記情報にアクセスし、前記ポイントに関する演算を実行し、かつ、前記ポイントの画像を
前記端末装置に表示させる制御部と、
を備えており、
前記ポイント管理情報記憶部は、ポイントが付与された日時・ポイント残高等の記録情報を有しており、
前記制御部は、前記ポイント管理情報記憶部に記録されたポイントが、最後に付与されたポイントの付与された日時から２４時間以内（若しくは付与された日と同日）でなければ、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示されるように管理されているか、
又は、ユーザーが接続する毎に、新たにポイントを付与するとともに、記録されているポイントが、付与されたポイントの付与された日時から２４時間を経過している（若しくは付与された日を経過している）場合には、該当する付与ポイントを失効させた上で、利用可能ポイント残高を前記端末装置上に表示されるように管理されている
ポイント管理システム。
【発明の詳細な説明】
【技術分野】
【０００１】
本発明は、通信回線に接続された各端末から、通信回線を介して接続する、２４時間（若しくは同日）限り有効ポイントを付与するシステムを管理するサーバー装置、端末装置、そのポイントの管理方法、プログラム、記憶媒体及びポイントシステムに関するものである。
【背景技術】
【０００２】
通信インフラ環境の高度化に伴い、実店舗でスタンプカードを利用したポイントシステムが、インターネットを利用した高機能のものへと発展してきている。従来は、店舗で取り扱われている物品及び／又は役務の購入にともなうか、あるいは、アンケートに回答するなどすることによって、スタンプカードにポイント分のスタンプが押されるなどして、この加算されたポイントが管理されていた。
【０００３】
通信インフラ環境が高度化した現代においては、かかるポイント管理は、通信回線を利用して行われている。特に、近年は、スマートフォンに代表される高機能な携帯端末の普及に伴い、ユーザーがインターネット上のサイトを利用して、物品及び／又は役務の購入を行う機会が増えている。そのため、リアルタイムにポイントが加算され、その加算されたポイントに応じて、物品等の景品への交換が行われるポイントシステムが提供されている。
【先行技術文献】
【特許文献】
【０００４】
【特許文献１】特開２００１−１３６２８３号公報
【発明の概要】
【発明が解決しようとする課題】
【０００５】
従来のポイントサービスは、物品及び／又は役務の購入に際し、その購入金額に応じて付与するというものが大半であった。中には、特定のインターネット上のサイトへのアクセスを誘導するために、アクセスした際に、ポイント等の特典を付与するサービスも存在する。しかし、アクセス毎にユーザーにポイントを付与していると、ポイントが消費されなければ、ポイントが蓄積され続けてしまう。そうすると、大量に蓄積されたポイントが突然消費され、予期していない経済的出捐が発生する危険性があった。また、ユーザーがアクセス毎にポイントを付与されるというのは、いつでもポイントが付与されるため、特定のインターネット上のサイトへ毎日アクセスするよう仕向ける誘因としても弱いという課題があった。
【課題を解決するための手段】
【０００６】
上記課題を解決するために、本発明の２４時間（若しくは同日）限り有効ポイント付与システムでは、まず、インターネット等の情報処理に係る通信回線又は通信回線網であるネットワークを介して、サーバー装置とユーザーの端末装置が接続され、サーバー装置内のポイント管理情報記憶部にて、ポイントが付与された日時・ポイント残高等が記録され、同装置内の制御部もしくはユーザーの端末装置で、ユーザーのポイント管理が行われる。そして、前記ポイント管理情報記憶部は、ポイントが付与された日時・ポイント残高等の記録情報を保存する機能を備えている。そして、サーバー装置内には、その他に、ポイントサービスに関する演算を処理し、かつ、ポイントサービスの画像を端末に表示させる制御部が存在する。
【０００７】
次に、ユーザーが、ネットワークを介して、サーバー装置にログインすると、サーバー装置の制御部もしくはユーザーの端末装置において、ログイン毎か、又は、サーバー装置内のポイント管理情報記憶部に記録されているポイントが付与された日時を参照して、最後に付与されたポイントの付与された日時から２４時間以内（若しくは付与された日と同日）でなければ、新たにポイント（以下、「本付与ポイント」という。）を付与する。また、サーバー装置の制御部もしくはユーザーの端末装置において、サーバー装置内のポイント管理情報記憶部に記録されている本付与ポイントが付与された日時を参照して、付与されたポイントの付与された日時から２４時間を経過している（若しくは付与された日を経過している）場合には、該当する付与ポイントを失効させた上で、利用可能ポイント残高を前記端末装置上に表示させる。
【発明の効果】
【０００８】
本発明によれば、インターネット上で物品及び／又は役務を提供しているサイトは、予定外に多くのポイントをユーザーが使用することを回避できるとともに、有効期限が２４時間（若しくは同日）のため、ユーザーを毎日当該サイトへアクセスさせる強い誘因ともなる。また、ユーザーは、本付与ポイントが２４時間（若しくは同日）しか有効期限がないため、ポイントを費消することを意識するため、サイト内の物品及び／又は役務を購入する強い誘因となる。
【図面の簡単な説明】
【０００９】
【図１】本発明による２４時間（若しくは同日）限り有効ポイント付与システムの基本構成を示すブロック構成図である。
【図２】本発明にかかるサーバー装置の好適な実施携帯を示す概略構成図である。
【図３】本発明による２４時間（若しくは同日）限り有効ポイント付与システムの全体を示すブロック構成図である。
【図４】２４時間若しくは１日有効ポイント付与処理を示すフローチャート図である。
【発明を実施するための形態】
【００１０】
以下、本発明の実施の形態について詳細に説明する。なお、以下の実施の形態は、本発明を説明するための例示であり、本発明をその実施の形態のみに限定する趣旨ではない。また、本発明は、その要旨を逸脱しない限り、さまざまな変形が可能である。さらに、当業者であれば、以下に述べる各要素を均等なものに置換した実施の形態を採用することが可能であり、かかる実施の形態も本発明の範囲に含まれる。また、さらに、必要に応じて示す上下左右等の位置関係は、特に断らない限り、図示の表示に基づくものとする。さらにまた、図面における各種の寸法比率は、その図示の比率に限定されるものではない。また、以下においては、理解を容易にするべく、サーバー装置内情報処理により、本発明が実現される実施の形態を例にとって説明するが、上述の如く、本発明はそれに限定されない。
【００１１】
図１は、本発明の２４時間（若しくは同日）限り有効ポイント付与システムの基本構成を示すブロック構成図である。図１において、まず、サーバー装置１は、インターネット等の情報処理に係る通信回線又は通信回線網２であるネットワークに接続されたサーバー用コンピューターであり、そのサーバー用コンピューターにおいて所定のサーバー用プログラムが動作することにより、サーバー機能を発現する。次に、そのサーバー装置１と、同じくネットワークに有線接続及び／または無線接続されたクライアントコンピュータ４乃至７、タブレット端末８乃至１１、もしくは携帯端末１２乃至１５といった端末装置３が、互いに通信可能に設定されることにより、本発明の２４時間（若しくは同日）限り有効ポイント付与システムが構成される。
【００１２】
図２は、本発明によるサーバー装置１の好適な実施形態を示す概略構成図である。サーバー装置１は、ＣＰＵやＭＰＵといった演算処理部、記憶装置としてのＲＯＭ１７及びＲＡＭ１８、操作部１９及び外部インターフェース２０、ディスプレイモニタ等表示装置２１が接続された画像処理部２２、音声出力装置２３が接続された音声処理部２４、並びに、ネットワークインターフェース２５を備えている。それらの機能は、内部バス、外部バス、及び拡張バスを含むシステムバスといった伝送路を介して互いに接続されている。もっとも、表示装置、音声出力装置等の入出力を担うデバイス装置は、必要に応じて適宜省略されることもある。また、それらが備えられている場合であっても、それらが必ずしも伝送路に常時接続されているわけでなくてもよい。
【００１３】
図３に示されるような２４時間（若しくは同日）限り有効ポイント付与システム２６は、インターネット等の情報処理に係る通信回線又は通信回線網２であるネットワークを介して、ユーザーの端末装置３と接続される。ユーザー３０が、サーバー装置２７と接続し、ログインすると、図４のフローチャート図に基づく演算処理が行われる。まず、サーバー装置内のポイントが付与された日時・ポイント残高等が記録されているポイント管理情報記憶部２８に保存されているポイント情報を参照して、最後に付与されたポイントの付与された日時から２４時間以内（若しくは付与された日と同日）でなければ、新たにポイント（以下、「本付与ポイント」という。）を付与する。この本付与ポイントを付与するか否かの演算処理は、サーバー装置２７内の制御部２９か若しくはユーザー３０の端末装置３のポイント管理手段３２で行われる。ユーザー３０の端末装置３は、このように、サーバー装置２７のポイント管理情報記憶部２８・制御部２９へのアクセス手段３１を有している。
【００１４】
次に、サーバー装置２７の制御部２９か若しくはユーザー３０の端末装置３のポイント管理手段３２において、付与されたポイントの付与された日時から２４時間を経過している（若しくは付与された日を経過している）場合には、該当する付与ポイントを失効させた上で、利用可能ポイント残高を前記端末装置上の表示部３３に表示させるポイント管理手段を有している。
【符号の説明】
【００１５】
１  サーバー装置のこと
２  通信回線網のこと
３  端末装置のこと
４  クライアントコンピューターのこと
５  クライアントコンピューターのこと
６  クライアントコンピューターのこと
７  クライアントコンピューターのこと
８  タブレット端末のこと
９  タブレット端末のこと
１０  タブレット端末のこと
１１  タブレット端末のこと
１２  携帯端末のこと
１３  携帯端末のこと
１４  携帯端末のこと
１５  携帯端末のこと
１６  演算処理部のこと
１６  ＲＯＭのこと
１７  ＲＡＭのこと
１９  操作部のこと
２０  ネットワークインターフェースのこと
２１  表示装置のこと
２２  画像処理部のこと
２３  音声出力装置のこと
２４  音声処理部のこと
２５  外部インターフェースのこと
２６  ２４時間（若しくは同日）限り有効ポイント付与システムのこと
２７  サーバー装置のこと
２８  ポイント管理情報記憶部のこと
２９  制御部のこと
３０  ユーザーのこと
３１  ポイント管理情報記憶部・制御部へのアクセス手段のこと
３２  ポイント管理手段のこと
３３  表示部のこと
【図１】
2017126103.tif 000003
【図２】
2017126103.tif 000004
【図３】
2017126103.tif 000005
【図４】
2017126103.tif 000006